(57)【要約】【課題】駆動綱車にロータを締結しハウジングのステータに対向して配置した構成であって、駆動綱車を容易に交換できるエレベーター用巻上機を得る。【解決手段】綱溝の損耗等による駆動綱車１５の交換時に、巻上機を停止して人為操作により仮固定装置２０によってロータ１７をハウジング１３に仮固定する。このため、ハウジング１３に設けたステータ３とロータ１７に設けた永久磁石１０の両者間の吸引力に関係なく、駆動綱車１５を交換することができる。したがって、駆動綱車１５の交換のために上記両者の間の吸引力に対応する大掛かりな装置を要せず、エレベーターの設置現場において容易に巻上機の駆動綱車１５を交換することができる。これにより、エレベーターの保守作業の能率を向上し、また保守費を低減する。【選択図】　　　　図１
2004107048.tif 000002
【特許請求の範囲】
【請求項１】
ベッドの一側に設けられて上記ベッドの他側に向かって開口した開口部の内周面にステータが装着されたハウジングと、上記ベッドの他側に着脱自在に締結されて上記ハウジングと対向して設けられた軸受台と、一端が上記ハウジングに他端は上記軸受台に着脱自在に枢着された軸と、この軸の長手中間に固定された駆動綱車と、この駆動綱車の上記ハウジング側のリムに着脱自在に締結され、上記ステータと対向する永久磁石が設けられたロータと、人為操作によって一側が上記ハウジングに他側が上記ロータに係合されて上記ロータを上記ハウジングに仮固定する仮固定装置とを備えたエレベーター用巻上機。
【請求項２】
仮固定装置を、ハウジングに挿通されて先端がロータにねじ込まれた引きボルト及びこの引きボルトに隣接して設けられ上記ハウジングにねじ込まれて先端によりロータを押圧する押しボルトからなるものとしたことを特徴とする請求項１記載のエレベーター用巻上機。
【請求項３】
仮固定装置を、一側の内面に円錐面が形成されたロータ、ハウジングに設けられ一側の外面に上記ロータの円錐面に対応した円錐面が形成された押圧リング、上記ハウジングに挿通されて先端が上記ロータの側面にねじ込まれた第一引きボルト、上記ハウジングに挿通されて先端が上記押圧リングの側面にねじ込まれた第二引きボルト、この第二引きボルトに隣接して配置され上記ハウジングにねじ込まれて上記押圧リングの側面を押圧する押しボルトからなるものとしたことを特徴とする請求項１記載のエレベーター用巻上機。
【発明の詳細な説明】
【０００１】
【発明の属する技術分野】
この発明は、ロータが駆動綱車の外周部に締結されて、ハウジングに設けられたステータに対向して配置されたエレベーター用巻上機に関する。
【０００２】
【従来の技術】
図９及び図１０は、例えば特開平９−１４２７６１号公報に示された従来のエレベーター用巻上機を示す図で、図９は一部縦断して示す側面図、図１０は図９のエレベーター用巻上機における駆動綱車の交換作業状況を説明する図である。図において、１はベッド、２はハウジングで、ベッド１の一側に設けられてベッド１の反中心部側に開口した開口部が形成されこの開口部の内周面にステータ３が装着されている。４はベッド１の他側にボルト５によって着脱自在に締結されてハウジング３と対向して設けられた軸受台である。
【０００３】
６は長手中間が軸受７によってハウジング２に枢着され、反ハウジング２側の端部は軸受８によって軸受台４に枢着された軸、９は軸６のハウジング２側の突出端に着脱自在に装着されたロータで、外周面にステータ３と対向しステータ３とによって電動機を構成する永久磁石１０が設けられている。１１は軸６に固定されてハウジング２と軸受台４の間に配置された駆動綱車、１２は駆動綱車１１の軸受台４側のリムに装着された制動装置（図示しない）のディスクである。
【０００４】
従来のエレベーター用巻上機は上記のように構成されて電動機が付勢されると駆動綱車１１が回転する。これにより、図示が省略してあるが駆動綱車１１に巻掛けられた主索の両端にそれぞれに吊持されたかご及びつり合おもりが互いに反対方向へ昇降する。そして、駆動綱車１１の綱溝の損耗が所定値を超えたとき等に、次に述べるようにして駆動綱車１１が交換される。
【０００５】
すなわち、ロータ９を軸６から抜きハウジング２外へ移動し、また軸６及び駆動綱車１１を吊り上げた状態に保持し、ボルト５を撤去して軸受台４を軸６から抜き、次いでハウジング２から軸６を引き抜く。これにより、巻上機が図１０に示すように分解されて駆動綱車１１を交換する作業を行うようになっている。
【０００６】
【発明が解決しようとする課題】
上記のような従来のエレベーター用巻上機では、駆動綱車１１の交換時にロータ９を軸６から抜きハウジング２外へ移動する作業が行われる。しかし、一般的に使用される巻上機において、ステータ３と永久磁石１０の間に軸６の長手に沿う方向に数百ｋｇｆに及ぶ吸引力が作用している。このため、ロータ９をハウジング２外へ移動する作業は、前述の吸引力に抗してロータ９を軸６から抜くことになり大掛かりな装置が必要であり、エレベーターの設置現場において駆動綱車１１を交換することは容易でなく極めて困難という問題点があった。
【０００７】
この発明は、かかる問題点を解消するためになされたものであり、ロータが駆動綱車の外周部に締結されて、ハウジングに設けられたステータに対向して配置された構成であって、駆動綱車を容易に交換することができるエレベーター用巻上機を得ることを目的とする。
【０００８】
【課題を解決するための手段】
この発明に係るエレベーター用巻上機においては、ベッドの一側に設けられてベッドの他側に向かって開口した開口部の内周面にステータが装着されたハウジングと、ベッドの他側に着脱自在に締結されてハウジングと対向して設けられた軸受台と、一端がハウジングに他端は軸受台に着脱自在に枢着された軸と、この軸の長手中間に固定された駆動綱車と、この駆動綱車のハウジング側のリムに着脱自在に締結され、ステータと対向する永久磁石が設けられたロータと、人為操作によって一側がハウジングに他側がロータに係合されてロータをハウジングに仮固定する仮固定装置とが設けられる。
【０００９】
また、この発明に係るエレベーター用巻上機においては、ハウジングに挿通されて先端がロータにねじ込まれた引きボルト及びこの引きボルトに隣接して設けられハウジングにねじ込まれて先端によりロータを押圧する押しボルトからなる仮固定装置が設けられる。
【００１０】
また、この発明に係るエレベーター用巻上機においては、一側の内面に円錐面が形成されたロータ、ハウジングに設けられ一側の外面にロータの円錐面に対応した円錐面が形成された押圧リング、ハウジングに挿通されて先端がロータの側面にねじ込まれた第一引きボルト、ハウジングに挿通されて先端が押圧リングの側面にねじ込まれた第二引きボルト、この第二引きボルトに隣接して配置されハウジングにねじ込まれて押圧リングの側面を押圧する押しボルトからなる仮固定装置が設けられる。
【００１１】
【発明の実施の形態】
実施の形態１．
図１〜図４は、この発明の実施の形態の一例を示す図で、図１は一部縦断して示す側面図、図２は図１の要部拡大図、図３は図２における駆動綱車の要部側面図、図４は図１のエレベーター用巻上機における駆動綱車の交換作業状況を説明する図である。図において、１はベッド、１３はベッド１の一側に設けられてベッド１の中心部側に開口した開口部の内周面にステータ３が装着されたハウジング、４はベッド１の他側にボルト５によって着脱自在に締結されてハウジング３と対向して設けられた軸受台である。
【００１２】
１４は長手一端が軸受７によってハウジング１３に着脱自在に枢着され、反ハウジング１３側の端部は軸受８によって軸受台４に着脱自在に枢着された軸、１５は軸１４に固定されてハウジング１３と軸受台４の間に配置された駆動綱車、１６は駆動綱車１５のリムのハウジング１３側から突設されたフランジ部、１７は側面の一方がフランジ部１６と対面して配置されたロータで、環状体からなり環状体の内側に突出したリブ１８が設けられ、外周面にステータ３と対向しステータ３とによって電動機を構成する永久磁石１０が設けられている。
【００１３】
１９はフランジ部１６に挿通されてロータ１７にねじ込まれて、ロータ１７を駆動綱車１５に締結するボルトからなる締結具、１２は駆動綱車１５の軸受台４側のリムに装着された制動装置（図示しない）のディスク、２０は仮固定装置で、ハウジング１３に挿通されて先端がロータ１７にねじ込まれた引きボルト２１及びこの引きボルト２１に隣接して設けられハウジング１３にねじ込まれてリブ１８すなわちロータ１７を押圧する押しボルト２２によって構成される。
【００１４】
なお、仮固定装置２０はハウジング１３におけるロータ１７の外周部の側面における円周方向に沿う位置に、互いに離れて複数組が設けられている。また、仮固定装置２０は詳細は後述するが、要時に人為操作によってハウジング１３に係合され、また人為操作されてロータ１７をハウジング１３に仮固定する。
【００１５】
上記のように構成されたエレベーター用巻上機において、電動機が付勢されると駆動綱車１５が回転する。これにより、図示が省略してあるが駆動綱車１５に巻掛けられた主索の両端にそれぞれに吊持されたかご及びつり合おもりが互いに反対方向へ昇降する。そして、駆動綱車１５の綱溝の所定値を超えた損耗等によって、次に述べるようにして駆動綱車１５が交換される。
【００１６】
すなわち、電動機を停止し人為操作によって仮固定装置２０の引きボルト２１をハウジング１３に挿通してロータ１７にねじ込み、また押しボルト２２をハウジング１３にねじ込んでロータ１７側面に対向した位置に配置する。そして、引きボルト２１及び押しボルト２２を交互に操作し、ステータ３と永久磁石１０の相対位置を保つようにして、引きボルト２１によりロータ１７を引き寄せ、また押しボルト２２によりロータ１７を押圧して、ロータ１７をハウジング１３に仮固定する。
【００１７】
次いで、軸１４及び駆動綱車１５を吊り上げた状態に保持し、ボルト５を撤去して軸受台４を軸１４の対応した軸端から抜き、また締結具１９を撤去してフランジ部１６とロータ１７の締結を解除する。そして、ロータ１７及びハウジング１３から軸１４の対応した軸端を抜いて、軸１４及び駆動綱車１５をハウジング１３から離れる方向へ移動する。これによって、図４に示す状態となり、また図４の状態においてロータ１７はハウジング１３に仮固定されている。
【００１８】
このように、ハウジング１３にロータ１７が仮固定されるので、ステータ３と永久磁石１０の間に軸１４の長手に沿う方向に作用する数百ｋｇｆに及ぶ吸引力に関係なく、駆動綱車１５の交換作業を行うことができる。したがって、駆動綱車１５の交換のためにステータ３と永久磁石１０の間の吸引力に対応する大掛かりな装置を要することなく、エレベーターの設置現場において容易に駆動綱車１４を交換することできる。このため、エレベーターの保守作業の能率を向上し、また保守費を低減することができる。
【００１９】
なお、更新した軸１４及び駆動綱車１５を装着するときには、前述の取り外し作業の工程と逆の工程による作業が行われ、駆動綱車１５の更新作業が終了すると引きボルト２１及び押しボルト２２が撤去される。また、仮固定装置２０の引きボルト２１及び押しボルト２２の配置が、ロータ１７の半径方向における中心寄りに引きボルト２１が、また外周寄り押しボルト２２が配置された構成であっても、前述の作用を得ることができる。
【００２０】
実施の形態２．
図５及び図６は、この発明の他の実施の形態の一例を示す図で、図５は前述の図１の要部相当図、図６は図５における駆動綱車の要部側面図である。図において、前述の図１〜図４と同符号は相当部分を示し、２３は仮固定装置で、引きボルト２１及び押しボルト２２がロータ１７の円周方向に沿って互いに適宜に離れて隣接した位置に配置されている。
【００２１】
上記のように構成されたエレベーター用巻上機においても、駆動綱車１５の交換時に仮固定装置２３によってロータ１７がハウジング１３に仮固定される。したがって、詳細な説明を省略するが図５及び図６の実施の形態においても図１〜図４の実施の形態と同様な作用が得られる。
【００２２】
なお、押しボルト２２の本数は、ハウジング１３に作用する応力の大きさや応力分布のバランスを考慮して一本又は二本を選択すれば良い。また、図５及び図６の実施の形態において前述の図２におけるリブ１８を設ける必要がなく、ロータ１７形状の簡素化、軽量化を図ることができる。また、ロータ１７内周面にリブ１８がないので、ロータ１７の内側空間にドラムブレーキを配置しロータ１７内周面をライニングの当たるドラム面として制動を行う方式の巻上機に適している。
【００２３】
実施の形態３．
図７及び図８は、この発明の他の実施の形態の一例を示す図で、図７は前述の図１の要部相当図、図８は図７における駆動綱車の要部側面図である。図において、前述の図１〜図４と同符号は相当部分を示し、２４はハウジングで、内面からフランジ部１６側へ突設されてロータ内周面よりも軸１４の中心寄りに配置された円筒部２５が設けられている。
【００２４】
２６は環状体からなるロータで、一方の側面が締結具１９によってフランジ部１６に締結され、反フランジ部１６の内面に円錐面２７が設けられている。２８は押圧リングで、内面がハウジング２４の円筒部２５に軸１４の軸線に沿う方向へ摺動可能に嵌合され、外面にはロータ２６の円錐面２７に嵌合する円錐面２９が設けられている。
【００２５】
３０はハウジング２４に挿通されて先端がロータ２６の側面にねじ込まれた第一引きボルト、３１はハウジング２４に挿通されて先端が押圧リング２８の側面にねじ込まれた第二引きボルト、３２は第二引きボルト３１の両側にそれぞれ配置され、ハウジング２４にねじ込まれて押圧リング２８の側面を押圧する押しボルトである。
【００２６】
３３は仮固定装置であり、押圧リング２８、第一引きボルト３０、第二引きボルト３１及び押しボルト３２によって構成されている。また、ハウジング２４におけるロータ２６の側面の円周方向に沿う位置に互いに離れて、第一引きボルト３０、第二引きボルト３１及び押しボルト３２を一組とする複数組が設けられている。
【００２７】
上記のように構成されたエレベーター用巻上機においても、駆動綱車１５の交換時に仮固定装置３３を操作し、すなわち第一引きボルト３０、第二引きボルト３１及び押しボルト３２を交互に操作し、ステータ３と永久磁石１０の相対位置を保つようにして、第二引きボルト３１及び押しボルト３２により押圧リング２８の円錐面２９をロータ２６の円錐面２７に嵌合し、また第一引きボルト３０によりロータ２６を引き寄せてロータ２６がハウジング２４に仮固定される。
【００２８】
したがって、詳細な説明を省略するが図７及び図８の実施の形態においても図１〜図４の実施の形態と同様な作用が得られる。
なお、駆動綱車１５の更新作業が終了すると押しボルト３２が取り外されて、第二引きボルト３１によって押圧リング２８がハウジング２４内面に接した位置に保持され、また第一引きボルト３０が撤去される。
【００２９】
【発明の効果】
この発明は以上説明したように、ベッドの一側に設けられてベッドの他側に向かって開口した開口部の内周面にステータが装着されたハウジングと、ベッドの他側に着脱自在に締結されてハウジングと対向して設けられた軸受台と、一端がハウジングに他端は軸受台に着脱自在に枢着された軸と、この軸の長手中間に固定された駆動綱車と、この駆動綱車のハウジング側のリムに着脱自在に締結され、ステータと対向する永久磁石が設けられたロータと、人為操作によって一側がハウジングに他側がロータに係合されてロータをハウジングに仮固定する仮固定装置とを設けたものである。
【００３０】
これによって、綱溝の損耗等による駆動綱車の交換時に巻上機を停止し人為操作により仮固定装置によってロータがハウジングに仮固定される。このため、ステータと永久磁石の間の吸引力に関係なく、駆動綱車の交換作業を行うことができる。したがって、駆動綱車の交換のためにステータと永久磁石の間の吸引力に対応する大掛かりな装置を要することなく、エレベーターの設置現場において容易に駆動綱車を交換することでき、エレベーターの保守作業の能率を向上し、また保守費を低減する効果がある。
【００３１】
また、この発明は以上説明したように、ハウジングに挿通されて先端がロータにねじ込まれた引きボルト及びこの引きボルトに隣接して設けられハウジングにねじ込まれて先端によりロータを押圧する押しボルトからなる仮固定装置を設けたものである。
【００３２】
これによって、綱溝の損耗等による駆動綱車の交換時に巻上機を停止し、人為操作により引きボルト及び押しボルトからなる仮固定装置によってロータがハウジングに仮固定される。このため、ステータと永久磁石の間の吸引力に関係なく、駆動綱車の交換作業を行うことができる。したがって、駆動綱車の交換のためにステータと永久磁石の間の吸引力に対応する大掛かりな装置を要することなく、エレベーターの設置現場において容易に駆動綱車を交換することでき、エレベーターの保守作業の能率を向上し、また保守費を低減する効果がある。
【００３３】
また、この発明は以上説明したように、一側の内面に円錐面が形成されたロータ、ハウジングに設けられ一側の外面にロータの円錐面に対応した円錐面が形成された押圧リング、ハウジングに挿通されて先端がロータの側面にねじ込まれた第一引きボルト、ハウジングに挿通されて先端が押圧リングの側面にねじ込まれた第二引きボルト、この第二引きボルトに隣接して配置されハウジングにねじ込まれて押圧リングの側面を押圧する押しボルトからなる仮固定装置を設けたものである。
【００３４】
これによって、ロータの内面に形成された円錐面、ロータの円錐面に対応した円錐面が形成された押圧リング、ハウジングに挿通されて先端がロータの側面にねじ込まれた第一引きボルト、ハウジングに挿通されて先端が押圧リングの側面にねじ込まれた第二引きボルト及び第二引きボルトに隣接して配置されハウジングにねじ込まれて押圧リングの側面を押圧する押しボルトによって仮固定装置が構成される。そして、綱溝の損耗等による駆動綱車の交換時に巻上機を停止し、人為操作により前述の仮固定装置によってロータがハウジングに仮固定される。このため、ステータと永久磁石の間の吸引力に関係なく、駆動綱車の交換作業を行うことができる。したがって、駆動綱車の交換のためにステータと永久磁石の間の吸引力に対応する大掛かりな装置を要することなく、エレベーターの設置現場において容易に駆動綱車を交換することでき、エレベーターの保守作業の能率を向上し、また保守費を低減する効果がある。
【図面の簡単な説明】
【図１】この発明の実施の形態１を示す図で、巻上機を一部縦断して示す側面図。
【図２】図１の要部拡大図。
【図３】図２における駆動綱車の側面図。
【図４】図１のエレベーター用巻上機における駆動綱車の交換作業状況を説明する図。
【図５】この発明の実施の形態２を示す図であり、前述の図１の要部相当図。
【図６】図５における駆動綱車の要部側面図。
【図７】この発明の実施の形態３を示す図であり、前述の図１の要部相当図。
【図８】図７における駆動綱車の要部側面図。
【図９】従来のエレベーター用巻上機を示す図で、巻上機を一部縦断して示す側面図。
【図１０】図９のエレベーター用巻上機における駆動綱車の交換作業状況を説明する図。
【符号の説明】
１　ベッド、３　ステータ、４　軸受台、１０　永久磁石、１３　ハウジング、１４　軸、１５　駆動綱車、１７　ロータ、２０　仮固定装置、２１　引きボルト、２２　押しボルト、２４　ハウジング、２６　ロータ、２７　円錐面、２８　押圧リング、２９　円錐面、３０　第一引きボルト、３１　第二引きボルト、３２　押しボルト、３３　仮固定装置。
【図１】
2004107048.tif 000003
【図２】
2004107048.tif 000004
【図３】
2004107048.tif 000005
【図４】
2004107048.tif 000006
【図５】
2004107048.tif 000007
【図６】
2004107048.tif 000008
【図７】
2004107048.tif 000009
【図８】
2004107048.tif 000010
【図９】
2004107048.tif 000011
【図１０】
2004107048.tif 000012